(57)【要約】【課題】高速かつ広帯域な光信号出力における良好な消光比やジッタ特性を得るための、周波数補正手段を実現することを課題とする。【解決手段】光送信装置１は、ＬＮ変調器やＥＡ変調器等の光変調器２と、光変調器２に変調信号を供給するドライバ回路３との間に、光変調器２へのバイアス供給用であればＰ部に、ドライバ回路３へのバイアス供給用であればＱ部にバイアスＴ回路４を備えていることが多い。この既存のバイアスＴ回路４において高周波特性への影響が少ないＲ部以降に周波数補正範囲を複数に分割できる周波数補正手段４ａを備えることにより、課題を解決する。【選択図】図１
2007288505.tif 000002
【特許請求の範囲】
【請求項１】
容量素子の少なくとも一方に誘導素子が接続されたバイアスＴ回路（４）において、
周波数特性における周波数範囲を複数に分割する素子と、該複数の周波数範囲毎に利得を可変する素子との組合せ回路からなる周波数補正手段（４ａ）を備えたことを特徴とするバイアスＴ回路。
【請求項２】
容量素子の少なくとも一方に誘導素子が接続されたバイアスＴ回路（４）によって高インピーダンス駆動されるドライバ回路（３）において、
前記バイアスＴ回路は、周波数特性における周波数範囲を複数に分割する素子と、該複数の周波数範囲毎に利得を可変する素子との組合せ回路からなる周波数補正手段（４ａ）を備えたことを特徴とするドライバ回路。
【請求項３】
容量素子の少なくとも一方に誘導素子が接続されたバイアスＴ回路（４）によってバイアス供給される光変調器（２）において、
前記バイアスＴ回路は、周波数特性における周波数範囲を複数に分割する素子と、該複数の周波数範囲毎に利得を可変する素子との組合せ回路からなる周波数補正手段（４ａ）を備えたことを特徴とする光変調器。
【請求項４】
容量素子の少なくとも一方に誘導素子が接続されたバイアスＴ回路（４）と、該バイアスＴ回路によって高インピーダンス駆動されるドライバ回路（３）と、該ドライバ回路からの電気信号によって光信号を強度変調する光変調器（２）とを備えた光送信装置（１）において、
前記バイアスＴ回路は、周波数特性における周波数範囲を複数に分割する素子と、該複数の周波数範囲毎に利得を可変する素子との組合せ回路からなる周波数補正手段（４ａ）を備えたことを特徴とする光送信装置。
【請求項５】
容量素子の両側に誘導素子が接続された２つのバイアスＴ回路（４）と、前記２つのバイアスＴ回路のうちの一方のバイアスＴ回路によって高インピーダンス駆動されるドライバ回路（３）と、該ドライバ回路からの電気信号によって光信号を強度変調するとともに他方のバイアスＴ回路によってバイアス供給される光変調器（２）とを備えた光送信装置（１）において、
前記２つのバイアスＴ回路は、周波数特性における周波数範囲を複数に分割する素子と、該複数の周波数範囲毎に利得を可変する素子との組合せ回路からなる周波数補正手段（４ａ）を備えたことを特徴とする光送信装置。
【発明の詳細な説明】
【技術分野】
【０００１】
本発明は、所望の交流信号に影響を与えずに所望の直流成分（直流電流、直流電圧）を供給するバイアスＴ回路に関するとともに、このバイアスＴ回路を用いたドライバ回路及び光変調器並びにこのドライバ回路や光変調器を用いた光送信装置に関する。
【背景技術】
【０００２】
大容量光ネットワークを利用したブロードバンドサービスでは、電気信号を光信号に変換する場合、ＬｉＮｂＯ3 （以下ＬＮと称す）などの電気光学効果を有する材料を基板に用いたＬＮ変調器や半導体の電界吸収効果を用いたＥＡ変調器などの外部光変調器をアンプドライバで駆動することにより高速かつ広帯域な光信号を出力する。
【０００３】
この高速かつ広帯域な光信号での重要な特性として、光出力のオンレベルとオフレベルとの比で表される消光比や時間軸方向のずれを示すジッタなどがあり、これらの特性には広帯域な周波数特性が大きく関係している。
【０００４】
ここで言う周波数特性とは、光送信装置を構成するドライバ回路、ドライバ回路入出力間の伝送路、光変調器などの個々の周波数特性によって決まる総合的周波数特性である。そして、この総合的周波数特性は、低域（目安として２〜３ＧＨｚ以下の周波数帯域）の利得が大きくなることが多い。また、ドライバ回路、ドライバ回路入出力間の伝送路、光変調器などの総合的な特性のため、比較的複雑な周波数特性となる場合も少なくない。
【０００５】
例えばＮＲＺ信号伝送の場合、３ｄＢ帯域がビットレートの０．８程度（例えばビットレートが１０Ｇｂｐｓの場合には８ＧＨｚ）、帯域内の偏差（ビットレートの１／２よりも少し大きい程度（ビットレートが１０Ｇｂｐｓの場合には６ＧＨｚ程度））が小さいなどを満足しなければ特性劣化が生じる。
【発明の開示】
【発明が解決しようとする課題】
【０００６】
そこで、上述した特性劣化の問題を解決するために、従来は、例えばＲＣ並列回路やＬＲ直列回路からなるフィルタ回路を使用していた。さらに説明すると、フィルタ回路がＲＣ並列回路の場合は、予め所望する周波数特性に応じて抵抗とコンデンサの値を設定し、この抵抗とコンデンサによるＲＣ並列回路をドライバ回路の伝送路の入力と出力との間に接続して周波数補正を行っていた。また、フィルタ回路がＬＲ直列回路の場合には、所望する周波数特性に応じてコイルと抵抗の値を設定し、このコイルと抵抗によるＬＲ直列回路を高周波的に仮想接地した状態でドライバ回路の伝送路の入力と出力との間に接続して周波数補正を行っていた。
【０００７】
しかしながら、上述したフィルタ回路は、ドライバ回路や光変調器に対して追加回路となるため、高周波特性の劣化を招くという問題があった。また、比較的単純な周波数補正しか出来ないという問題もあった。このため、この種のフィルタ回路を用いた構成では、例えば４０Ｇｂｐｓ以上の高ビットレート、１４ｄＢ以上の高消光比、光変調器を差動駆動する際の２出力の信号波形の対称性を保つための均等化など、難しい周波数補正が必要となる場合には充分に対応できなかった。
【０００８】
ところで、この種のフィルタ回路を複数個組み合わせることで複雑な周波数補正も可能ではあるが、その場合、フィルタ回路増加による高周波特性の劣化、コスト増加、大型化などの問題が生じるため、あまり実用的ではなかった。
【０００９】
そこで、本発明は上記問題点に鑑みてなされたものであって、既存のバイアスＴ回路に周波数補正機能を持たせるとともに、その周波数補正機能の周波数補正範囲を分割することにより、高周波特性劣化の小さい複雑な周波数補正が可能なバイアスＴ回路及びこのバイアスＴ回路を用いたドライバ回路及び光変調器、さらにこのドライバ回路や光変調器を用いた光送信装置を提供することを目的としている。
【課題を解決するための手段】
【００１０】
上記目的を達成するため、本発明の請求項１に記載されたバイアスＴ回路は、容量素子の少なくとも一方に誘導素子が接続されたバイアスＴ回路４において、
周波数特性における周波数範囲を複数に分割する素子と、該複数の周波数範囲毎に利得を可変する素子との組合せ回路からなる周波数補正手段４ａを備えたことを特徴とする。
【００１１】
請求項２に記載されたドライバ回路は、容量素子の少なくとも一方に誘導素子が接続されたバイアスＴ回路４によって高インピーダンス駆動されるドライバ回路３において、
前記バイアスＴ回路は、周波数特性における周波数範囲を複数に分割する素子と、該複数の周波数範囲毎に利得を可変する素子との組合せ回路からなる周波数補正手段４ａを備えたことを特徴とする。
【００１２】
請求項３に記載された光変調器は、容量素子の少なくとも一方に誘導素子が接続されたバイアスＴ回路４によってバイアス供給される光変調器２において、
前記バイアスＴ回路は、周波数特性における周波数範囲を複数に分割する素子と、該複数の周波数範囲毎に利得を可変する素子との組合せ回路からなる周波数補正手段４ａを備えたことを特徴とする。
【００１３】
請求項４に記載された光送信装置は、容量素子の少なくとも一方に誘導素子が接続されたバイアスＴ回路４と、該バイアスＴ回路によって高インピーダンス駆動されるドライバ回路３と、該ドライバ回路からの電気信号によって光信号を強度変調する光変調器２とを備えた光送信装置１において、
前記バイアスＴ回路は、周波数特性における周波数範囲を複数に分割する素子と、該複数の周波数範囲毎に利得を可変する素子との組合せ回路からなる周波数補正手段４ａを備えたことを特徴とする。
【００１４】
請求項５に記載された光送信装置は、容量素子の両側に誘導素子が接続された２つのバイアスＴ回路４と、前記２つのバイアスＴ回路のうちの一方のバイアスＴ回路によって高インピーダンス駆動されるドライバ回路３と、該ドライバ回路からの電気信号によって光信号を強度変調するとともに他方のバイアスＴ回路によってバイアス供給される光変調器２とを備えた光送信装置１において、
前記２つのバイアスＴ回路は、周波数特性における周波数範囲を複数に分割する素子と、該複数の周波数範囲毎に利得を可変する素子との組合せ回路からなる周波数補正手段４ａを備えたことを特徴とする。
【発明の効果】
【００１５】
本発明によれば、バイアスＴ回路の元々の回路構成を生かした周波数補正手段により周波数補正を実施するので、高周波特性への影響が少なく、従来のようなドライバ回路に対する追加回路を必要としない。しかも、バイアスＴ回路の周波数補正手段は、高周波部品の実装されたパッケージの外での搭載が可能である。この高周波パッケージ外部に周波数補正手段があることは、ドライバ回路や光変調器の特性バラツキの調整が可能になるため、複数の外形互換性のあるドライバ回路や光変調器を同一仕様の光伝送装置で使用することが容易となり、回路設計の自由度が増す。
【００１６】
また、周波数補正手段によって低周波（目安として２〜３ＧＨｚ）の周波数補正を任意の周波数範囲毎に補正できるので、より良好な光波形（消光比、開口率、ジッタ）が得られる。しかも、この改善によって良好な特性が維持できるドライバ回路による振幅範囲も広くなるので、温度（駆動振幅変化）や波長（ＬＮ変調器のＶπ変化）などによる特性劣化も小さくできる。
【００１７】
さらに、周波数補正手段に様々なインピーダンスを追加できるので、詳細な周波数補正が可能となり、ドライバ回路、ドライバ回路の伝送路、光変調器などの総合周波数特性が多少複雑になった場合でも補正することができる。
【発明を実施するための最良の形態】
【００１８】
以下、本発明の実施の形態を図面を参照しながら具体的に説明する。図１は本発明に係るバイアスＴ回路及び光変調器並びにドライバ回路を含む光送信装置の一例を示す図、図２は図１のバイアスＴ回路に含まれる周波数補正手段の周波数特性の概略説明図、図３は図１の周波数補正手段と同等に機能する他の回路構成例を示す図、図４（ａ）〜（ｅ）はインピーダンスブロックが１段からなる周波数補正手段の各回路構成例を示す図、図５〜図９は図４（ａ）〜（ｅ）の各回路構成に対応する周波数特性の概略説明図、図１０（ａ）〜（ｃ）はインピーダンスブロックが２段からなる周波数補正手段の各回路構成例を示す図、図１１は図１０（ａ）〜（ｃ）の各回路構成に対応する周波数特性の概略説明図、図１２は本発明による周波数補正有り時と無し時の駆動電圧−消光比特性例を示す図、図１３は本発明による周波数補正有り時と無し時の駆動電圧−ジッタ特性例を示す図、図１４はバイアスＴ回路の基本構成を示す回路図である。
【００１９】
一般的に周知のバイアスＴ回路４は、直流成分にとっては低インピーダンス、交流成分（データ伝送に必要な範囲、通常数１０ｋＨｚ程度以上）にとっては高インピーダンスな誘導素子と、直流成分を遮断する容量素子とを図１４に示すように配置した回路で構成される。
【００２０】
そして、図１４に示す配置のバイアスＴ回路４では、端子３（バイアス端子）からの直流成分を損失少なく端子２へ供給できるとともに、信号入力端子（端子１あるいは端子２）からの交流成分を損失少なく信号出力端子（端子２あるいは端子１）へ伝送することができる。
【００２１】
本発明の光送信装置では、光変調器の駆動に元々必要なバイアスＴ回路４の回路構成を生かして周波数補正機能を持たせ、安価で簡単な構造とし、高周波に影響する部分での調整を行わないことにより、高周波特性の劣化が小さく、複雑な周波数補正も可能にしている。
【００２２】
図１に示すように、本例の光送信装置１は、光変調器２とドライバ回路３とを備えて概略構成される。
【００２３】
光変調器２は、前述したように、ＬＮ変調器やＥＡ変調器などからなる。図１の例では、シングル駆動のＬＮ変調器によって光変調器２を構成している。この光変調器２では、光入力端子２ａから入力された光信号を、電気信号入力部２ｃからの電気信号によって強度変調して光出力端子２ｂから出力している。
【００２４】
ドライバ回路３は、ＬＮ変調器２を大振幅動作させるべく増幅器３ａを所望の直流成分（直流電流、直流電圧）で高インピーダンス駆動するバイアスＴ回路４を含んでおり、ＬＮ変調器２に所望の変調信号（駆動電圧Ｖπ）を供給している。
【００２５】
図１に示すように、バイアスＴ回路４は、ドライバ回路３の増幅器３ａと光変調器２の電気信号入力部２ｃとの間に接続され、元々の回路構成である容量素子（コンデンサＣ）と誘導素子（コイルＬ３）に加えて、さらに周波数補正機能を有する周波数補正手段４ａを含んでいる。この周波数補正手段４ａは、上記コイルＬ３に接続されたコイル、抵抗、コンデンサの各素子による所定段数のインピーダンスブロックの組合せ回路で構成される。
【００２６】
なお、コイルＬ１，Ｌ２は、本発明においては周波数範囲を決めるための素子であるが、通常のバイアスＴ回路においても必要な素子である。
【００２７】
図１において、周波数補正手段４ａは、２段のインピーダンスブロックからなり、コンデンサＣの増幅器３ａ側の伝送路側端子１１に接続されたコイルＬ３に対し、ドライバ回路バイアス供給端子１２に向かってコイルＬ２、コイルＬ１の順に直列接続され、コイルＬ１に抵抗Ｒ１が並列接続され、コイルＬ２に抵抗Ｒ２が並列接続されている。
【００２８】
ここで、図２は周波数補正手段４ａの周波数特性の概略を示している。図２の周波数特性において、周波数範囲ｆ３はコイルＬ２，Ｌ３、周波数範囲ｆ２はコイルＬ１，Ｌ２，Ｌ３、周波数範囲ｆ１はコイルＬ１，Ｌ２の定数でほぼ決定する。また、利得Ｇ３はコイルＬ３、利得Ｇ２は抵抗Ｒ２、利得Ｇ１は抵抗Ｒ１の定数でほぼ決定する。すなわち、図１の周波数補正手段４ａでは、コイルＬ１，Ｌ２，Ｌ３によって周波数特性の周波数範囲を決定し、抵抗Ｒ１，Ｒ２によって周波数範囲内の利得（振幅）の上下を決定する。
【００２９】
なお、図１の周波数補正手段４ａは、図３に示す回路構成としても図２と同等の周波数特性を得ることができる。この場合、コンデンサＣ１，Ｃ２は、周波数特性の周波数範囲ｆ１，ｆ２に適合した定数が選択される。
【００３０】
また、上述した周波数補正手段４ａは、図１や図３に示す回路構成に限定されるものではなく、最終的に得たい周波数特性に応じて回路構成が適宜選択されるものである。例えば図４（ａ）〜（ｅ）及び図１０（ａ）〜（ｃ）に示す回路構成の周波数補正手段４ａをバイアスＴ回路４のコイルＬ３に接続することができる。
【００３１】
図４（ａ）の例では、抵抗Ｒ１とコイルＬ１との並列回路によって周波数補正手段４ａを構成している。この回路構成による周波数特性を図５に示す。図５の例では、Ｒ１＝２００Ω，Ｌ１＝１００μＨ、Ｒ１＝１００Ω，Ｌ１＝１００μＨ、Ｒ１＝２００Ω，Ｌ１＝１μＨのときの各周波数特性を示している。
【００３２】
図４（ｂ）の例では、抵抗Ｒ１とコンデンサＣ１の直列回路とコイルＬ１との並列回路によって周波数補正手段４ａを構成している。この回路構成による周波数特性を図６に示す。図６の例では、Ｒ１＝２００Ω，Ｌ１＝１００μＨ，Ｃ１＝５００ｐＦ、Ｒ１＝１００Ω，Ｌ１＝１００μＨ，Ｃ１＝５００ｐＦ、Ｒ１＝２００Ω，Ｌ１＝１００μＨ，Ｃ１＝５０ｐＦのときの各周波数特性を示している。尚、図６には、特性比較のため、周波数補正手段４ａがＲ１＝２００Ω，Ｌ１＝１００μＨの並列回路からなるときの周波数特性を図示している。
【００３３】
図４（ｃ）の例では、コンデンサＣ１とコイルＬ１との並列回路によって周波数補正手段４ａを構成している。この回路構成による周波数特性を図７に示す。図７の例では、Ｃ１＝５００ｐＦ，Ｌ１＝１００μＨ、Ｃ１＝５０ｐＦ，Ｌ１＝１００μＨ、Ｃ１＝１０００ｐＦ，Ｌ１＝１００μＨのときの各周波数特性を示している。尚、図７には、特性比較のため、周波数補正手段４ａがＲ１＝２００Ω，Ｌ１＝１００μＨの並列回路からなるときの周波数特性を図示している。
【００３４】
図４（ｄ）の例では、抵抗Ｒ１とコンデンサＣ１とコイルＬ１との並列回路によって周波数補正手段４ａを構成している。この回路構成による周波数特性を図８に示す。図８の例では、Ｒ１＝２００Ω，Ｃ１＝５００ｐＦ，Ｌ１＝１００μＨ、Ｒ１＝１００Ω，Ｃ１＝５００ｐＦ，Ｌ１＝１００μＨ、Ｒ１＝２００Ω，Ｃ１＝５０ｐＦ，Ｌ１＝１００μＨのときの各周波数特性を示している。尚、図８には、特性比較のため、周波数補正手段４ａがＲ１＝２００Ω，Ｌ１＝１００μＨの並列回路からなるときの周波数特性を図示している。
【００３５】
図４（ｅ）の例では、抵抗Ｒ１とコンデンサＣ１の直列回路と抵抗Ｒ２とコイルＬ１との並列回路によって周波数補正手段４ａを構成している。この回路構成による周波数特性を図９に示す。図９の例では、Ｒ１，Ｒ２＝２００Ω，Ｃ１＝５００ｐＦ，Ｌ１＝１００μＨ、Ｒ１＝１００Ω，Ｒ２＝２００Ω，Ｃ１＝５００ｐＦ，Ｌ１＝１００μＨ、Ｒ１，Ｒ２＝２００Ω，Ｃ１＝５０ｐＦ，Ｌ１＝１００μＨのときの各周波数特性を示している。尚、図９には、特性比較のため、周波数補正手段４ａがＲ１＝２００Ω，Ｌ１＝１００μＨの並列回路からなるときの周波数特性を図示している。
【００３６】
図１０（ａ）の例では、抵抗Ｒ１とコイルＬ１の並列回路からなるインピーダンスブロックと、抵抗Ｒ２とコイルＬ２の並列回路からなるインピーダンスブロックとの２段の直列回路によって周波数補正手段４ａを構成している。
【００３７】
図１０（ｂ）の例では、抵抗Ｒ１とコンデンサＣ１の直列回路とコイルＬ１との並列回路からなるインピーダンスブロックと、抵抗Ｒ２とコイルＬ２との並列回路からなるインピーダンスブロックとの２段の直列回路によって周波数補正手段４ａを構成している。
【００３８】
図１０（ｃ）の例では、コンデンサＣ１とコイルＬ１との並列回路からなるインピーダンスブロックと、抵抗Ｒ２とコイルＬ２との並列回路からなるインピーダンスブロックとの２段の直列回路によって周波数補正手段４ａを構成している。
【００３９】
これら図１０（ａ）〜（ｃ）の回路構成による周波数特性を図１１に示す。尚、図１１には、特性比較のため、周波数補正手段４ａがＲ１＝２００Ω，Ｌ１＝１００μＨの並列回路からなる１段のインピーダンスブロックで構成されるときの周波数特性を図示している。図１１には、図１０（ａ）の回路構成の例として、Ｒ１＝１００Ω，Ｒ２＝２００Ω、Ｌ１＝１００μＨ，Ｌ２＝１μＨのときの周波数特性を示している。また、図１０（ｂ）の回路構成の例として、Ｒ１＝１００Ω，Ｒ２＝２００Ω，Ｃ１＝５００ｐＦ，Ｌ１＝１００μＨ，Ｌ２＝１μＨのときの周波数特性を示している。さらに、図１０（ｃ）の回路構成の例として、Ｃ１＝５００ｐＦ，Ｒ２＝２００Ω，Ｌ１＝１００μＨ，Ｌ２＝１μＨ、Ｃ１＝１０００ｐＦ，Ｒ２＝２００Ω，Ｌ１＝１００μＨ，Ｌ２＝１０μＨのときの周波数特性をそれぞれ示している。
【００４０】
このように、図１のバイアスＴ回路４において、コイルＬ３に接続される周波数補正手段４ａの回路構成及び各素子の値を適宜選択設定することにより所望の周波数特性を得ることができる。
【００４１】
ところで、本例の光送信装置１は、ＬＮ変調器やＥＡ変調器等の光変調器２と、光変調器２に変調信号を供給するドライバ回路３との間に、光変調器２へのバイアス供給用であれば図１のＰ部にバイアスＴ回路４を備え、ドライバ回路３へのバイアス供給用であれば図１のＱ部にバイアスＴ回路４を備えていることが多い。そこで、本例の光送信装置１では、既存のバイアスＴ回路４において高周波特性への影響が少ない図１のＲ部以降（ドライバ回路バイアス供給端子１２とＲ部との間、光変調器バイアス供給端子１３とＲ部との間の少なくとも一方）に周波数補正範囲を複数に分割できる周波数補正手段４ａを備える構成とすることができる。これにより、高速かつ広帯域な光信号出力における良好な消光比やジッタ特性を得ることができる。
【００４２】
このように、本例の光送信装置１では、光変調器２の駆動に元々必要なバイアスＴ回路４の回路構成を生かした周波数補正手段４ａによって周波数特性を複数の周波数範囲に分割（図１の回路例では３分割）し、この分割した周波数範囲（コイルＬ３による周波数範囲を除く）毎の利得（振幅）を決定して周波数補正を行っている。
【００４３】
ここで、図１２は本発明による周波数補正有り時と無し時の１０Ｇｂｉｔ／ｓ時の駆動電圧−消光比特性例、図１３は本発明による周波数補正有り時と無し時の１０Ｇｂｉｔ／ｓ時の駆動電圧−ジッタ特性例をそれぞれ示している。
【００４４】
駆動電圧−消光比特性としては、幅広い駆動電圧で消光比が高いことが好ましい。図１２に示すように、周波数補正無しの場合には、駆動電圧３．０Ｖ近傍で最大消光比１３．８ｄＢを示し、消光比１３．５ｄＢ以上の駆動電圧範囲が０．４５Ｖ（２．８〜３．２５Ｖ）であるのに対し、周波数補正有りの場合には、駆動電圧３．２Ｖ近傍で最大消光比１４．４ｄＢを示し、駆動電圧０．８Ｖ（２．６〜３．４Ｖ）の広範囲で消光比１３．５ｄＢ以上が得られる。すなわち、本発明の周波数補正手段４ａを採用すれば、駆動電圧−消光比特性として、幅広い駆動電圧で消光比の高い特性を得ることができる。
【００４５】
また、駆動電圧−ジッタ特性としては、幅広い駆動電圧でジッタが小さい方が好ましい。図１３に示すように、周波数補正無しの場合には駆動電圧３．２Ｖ近傍で最小ジッタ２．０ｐｓを示し、ジッタ２．１ｐｓ以下の駆動電圧範囲が０．２Ｖ（３．１〜３．３Ｖ）であるのに対し、周波数補正有りの場合には駆動電圧範囲が０．６Ｖ以上（２．８〜３．４Ｖ）の広範囲でジッタ２．１ｐｓ以下（実際は１．９ｐｓ以下）が得られる。
【００４６】
さらに、実際に光変調器を駆動する場合は、消光比特性が良い駆動電圧で、ジッタも小さい事が重要となる。その点を考慮して図１２、図１３を見ると、周波数補正無しの場合には消光比最大となる駆動電圧３．０Ｖ／ジッタ最小となる駆動電圧３．２Ｖと両特性の最良値が異なるが、周波数補正有りの場合には消光比最大となる駆動電圧３．２Ｖ／ジッタ最小となる駆動電圧３．２Ｖ（２．８Ｖ、３．４Ｖでも最小）と最良値が一致する。
【００４７】
このように、上記各特性からも判るように、本発明の周波数補正手段４ａを採用して周波数補正を行う構成とすれば、広い駆動電圧範囲にわたって消光比及びジッタの高特性が得られる。
【００４８】
ところで、図１の例では、ドライバ回路３が１出力によるシングル駆動の構成として説明したが、ドライバ回路３が２出力によるデュアル駆動でも、本例の周波数補正手段４ａを含むバイアスＴ回路４の構成を採用することができる。また、光変調器２についてもシングル駆動のＬＮ変調器を例にとって説明したが、デュアル駆動の光変調器の場合でも、本例の周波数補正手段４ａを含むバイアスＴ回路４の構成を採用することができる。
【００４９】
さらに、図１、図３、図４、図１０の各例では、周波数補正手段４ａの一構成要素である抵抗Ｒ１，Ｒ２の値を固定値としているが、各抵抗に可変機能を持たせれば、各周波数範囲毎の利得を最適値に可変することができる。また、高周波部分であるコイルＬ３以外のコイルや各コンデンサに可変機能を持たせて周波数範囲を最適値に可変することもできる。さらに、周波数補正手段４ａとして、様々な周波数特性が得られるように回路を構成し、これらの回路を適宜選択切り替えできる構成とすることもできる。そして、これらの可変機能や切り替え機能を組合せることにより、複雑な周波数補正を比較的簡単に同一回路基板上で実現することができる。
【００５０】
その結果、ＬＮ変調器やＥＡ変調器などの光変調器に最適な周波数特性の駆動波形を選択し、性能の異なる光変調器毎に最適な駆動波形を供給することを目的としたドライバ回路を実現することができる。
【００５１】
このように、本例のバイアスＴ回路４及びドライバ回路３を含む光送信装置１によれば、光変調器の駆動に必要なバイアスＴ回路４の元々の回路構成を生かした周波数補正手段４ａによって周波数補正を実施するので、高周波特性への影響が少なく、従来のようなドライバ回路に対する追加回路を必要としない。しかも、バイアスＴ回路４の周波数補正手段４ａは、コイルＬ３以外の高周波に影響しない部分を外に引き出すことができるので、回路設計上の自由度が増し、既存の光送信装置にも簡単に組み込むことができる。
【００５２】
また、周波数補正手段４ａによって低周波（目安として２〜３ＧＨｚ）の周波数補正を任意の周波数範囲毎に補正できるので、より良好な光波形（消光比、開口率、ジッタ）が得られる。しかも、この改善によって良好な特性が維持できるドライバ回路３による振幅範囲も広くなるので、温度（駆動振幅変化）や波長（ＬＮ変調器のＶπ変化）などによる特性劣化も小さくできる。
【００５３】
さらに、周波数補正手段４ａに様々なインピーダンスを追加できるので、詳細な周波数補正が可能となり、ドライバ回路、ドライバ回路の伝送路、光変調器などの総合周波数特性が多少複雑になった場合でも補正することができる。
【図面の簡単な説明】
【００５４】
【図１】本発明に係るバイアスＴ回路及び光変調器並びにドライバ回路を含む光送信装置の一例を示す図である。
【図２】図１のバイアスＴ回路に含まれる周波数補正手段の周波数特性の概略説明図である。
【図３】図１の周波数補正手段と同等に機能する他の回路構成例を示す図である。
【図４】（ａ）〜（ｅ）  インピーダンスブロックが１段からなる周波数補正手段の各回路構成例を示す図である。
【図５】図４（ａ）の回路構成に対応する周波数特性の概略説明図である。
【図６】図４（ｂ）の回路構成に対応する周波数特性の概略説明図である。
【図７】図４（ｃ）の回路構成に対応する周波数特性の概略説明図である。
【図８】図４（ｄ）の回路構成に対応する周波数特性の概略説明図である。
【図９】図４（ｅ）の回路構成に対応する周波数特性の概略説明図である。
【図１０】（ａ）〜（ｃ）  インピーダンスブロックが２段からなる周波数補正手段の各回路構成例を示す図である。
【図１１】図１０（ａ）〜（ｃ）の各回路構成に対応する周波数特性の概略説明図である。
【図１２】本発明による周波数補正有り時と無し時の駆動電圧−消光比特性例を示す図である。
【図１３】本発明による周波数補正有り時と無し時の駆動電圧−ジッタ特性例を示す図である。
【図１４】バイアスＴ回路の基本構成を示す回路図である。
【符号の説明】
【００５５】
１  光送信装置
２  光変調器（ＬＮ変調器やＥＡ変調器）
２ａ  光入力端子
２ｂ  光出力端子
２ｃ  電気信号入力部
３  ドライバ回路
３ａ  増幅器
４  バイアスＴ回路
４ａ  周波数補正手段
１１  伝送路側端子
１２  ドライバ回路バイアス供給端子
１３  光変調器バイアス供給端子
【図１】
2007288505.tif 000003
【図２】
2007288505.tif 000004
【図３】
2007288505.tif 000005
【図４】
2007288505.tif 000006
【図５】
2007288505.tif 000007
【図６】
2007288505.tif 000008
【図７】
2007288505.tif 000009
【図８】
2007288505.tif 000010
【図９】
2007288505.tif 000011
【図１０】
2007288505.tif 000012
【図１１】
2007288505.tif 000013
【図１２】
2007288505.tif 000014
【図１３】
2007288505.tif 000015
【図１４】
2007288505.tif 000016